(57)【要約】【課題】ユーザーの利便性を向上させつつ、機密情報を有するシートを速やかに処理することができるシート処理装置及び管理システムを提供する。【解決手段】シート処理装置１００は、処理対象のシートがセットされる供給部１０ａ，１０ｂと、供給部１０ａ，１０ｂにセットされたシートに対して所定処理を行うシート処理部２００，２５０と、供給部１０ａにセットされたシートに対する所定処理を、供給部１０ｂにセットされたシートに対する所定処理よりも優先して行う優先処理制御を実行する制御部１５１とを備える。【選択図】図１
2018143980.tif 000002
【特許請求の範囲】
【請求項１】
処理対象のシートがセットされる第１のセット部及び第２のセット部と、
前記第１のセット部及び前記第２のセット部にセットされたシートに対して所定処理を行うシート処理部と、
前記第１のセット部にセットされたシートに対する前記所定処理を、前記第２のセット部にセットされたシートに対する前記所定処理よりも優先して行う優先処理制御を実行する制御部と
を備えたシート処理装置。
【請求項２】
ユーザーによる認証操作を受け付ける操作部と、
前記認証操作を行ったユーザーが、特定ユーザーであることを認証する認証部とを備え、
前記制御部は、前記認証部により前記特定ユーザーであると認証された場合に、前記優先処理制御を行う
請求項１記載のシート処理装置。
【請求項３】
前記第１のセット部にセットされたシートの視認及び取り出しが不能な機密状態と、前記第１のセット部にセットされたシートの視認及び取り出しが可能な非機密状態とを切り替えるセット状態切替部を備え、
前記制御部は、前記セット状態切替部により前記機密状態とした状態で、前記優先処理制御を実行する
請求項１又は請求項２記載のシート処理装置。
【請求項４】
前記シートは廃棄紙であり、
前記シート処理部は、前記所定処理として、前記第１のセット部及び前記第２のセット部にセットされた廃棄紙を原料として再生紙を生成する処理を行う
請求項１から請求項３のうちいずれか１項記載のシート処理装置。
【請求項５】
シートを処理するシート処理装置と、前記シート処理装置と通信可能に構成された管理装置とを備えた管理システムであって、
前記管理装置は、前記シート処理装置のユーザーが特定ユーザーであるか否かを判定する判定部を有し、
前記シート処理装置は、
処理対象のシートがセットされる第１のセット部及び第２のセット部と、
前記第１のセット部及び前記第２のセット部にセットされたシートに対して所定処理を行うシート処理部と、
ユーザーによる認証操作を受け付ける操作部と、
前記操作部によりユーザーによる認証操作を受け付けたときに、前記管理装置に対して、該認証操作を行ったユーザーが前記特定ユーザーであるか否かの判定を要求する判定要求データを送信し、該判定要求データの送信に応じて実行された前記判定部による判定の結果を示す判定結果データを、前記管理装置から受信したときに、該判定結果データに基づいて、該認証操作を行ったユーザーが前記特定ユーザーであることを認証する認証部と、
前記認証部により前記特定ユーザーであると認証されたユーザーが、前記第１のセット部にシートをセットした場合に、前記第１のセット部にセットされたシートに対する前記所定処理を、前記第２のセット部にセットされたシートに対する前記所定処理よりも優先して行う優先処理制御を実行する制御部とを有する
管理システム。
【発明の詳細な説明】
【技術分野】
【０００１】
本発明は、シート処理装置及び管理システムに関する。
【背景技術】
【０００２】
従来、シュレッダー等のシート処理装置において、ユーザーによる利用を制限する機能を備えた構成が提案されている（例えば、特許文献１参照）。
特許文献１には、紙文書に表示されたバーコードを読み取って紙文書の廃棄の可否を判断すると共に、ユーザーが紙文書を廃棄する権限を有している場合に限定して、紙文書の廃棄を行うようにしたシュレッダーが記載されている。
【先行技術文献】
【特許文献】
【０００３】
【特許文献１】特開２００９−２１９９７６号公報
【発明の概要】
【発明が解決しようとする課題】
【０００４】
シート処理装置において、処理対象であるシートをセットするセット部を複数設けて、各ユーザーが複数のセット部のいずれかを選択してシートをセットできる構成とすることが考えられる。この構成によれば、複数のユーザーの利用タイミングが重なったときの待ち時間を減らして、ユーザーの利便性を向上させることができる。
しかしながら、セット部にセットされるシートの中には機密情報を有するものもあり、機密情報を有するシートについては、速やかに処理することが望まれる。
【０００５】
本発明は、上述した事情に鑑みてなされたものであり、ユーザーの利便性を向上させつつ、機密情報を有するシートを速やかに処理することができるシート処理装置及び管理システムを提供することを目的とする。
【課題を解決するための手段】
【０００６】
上記課題を解決するため、本発明のシート処理装置は、処理対象のシートがセットされる第１のセット部及び第２のセット部と、前記第１のセット部及び前記第２のセット部にセットされたシートに対して所定処理を行うシート処理部と、前記第１のセット部にセットされたシートに対する前記所定処理を、前記第２のセット部にセットされたシートに対する前記所定処理よりも優先して行う優先処理制御を実行する制御部とを備えたことを特徴とする。
本発明によれば、制御部による優先処理制御により、第１のセット部にセットされたシートに対する所定処理が、第２のセット部にセットされたシートに対する所定処理よりも優先して行われる。そのため、第１のセット部及び第２のセット部を備えることにより、複数のユーザーによる利用時の利便性を向上させることができる。さらに、機密情報を有するシートを第１のセット部にセットすることで、機密情報を有するシートを速やかに処理することができる。
【０００７】
また、上記構成において、ユーザーによる認証操作を受け付ける操作部と、前記認証操作を行ったユーザーが、特定ユーザーであるか否かを認証する認証部とを備え、前記制御部は、前記認証部により前記特定ユーザーであると認証された場合に、前記優先処理制御を行う構成としてもよい。
この構成によれば、予め設定された特定のユーザーを対象として、第１のセット部にセットされたシートを速やかに処理することができる。
【０００８】
また、上記構成において、前記第１のセット部にセットされたシートの視認及び取り出しが不能な機密状態と、前記第１のセット部にセットされたシートの視認及び取り出しが可能な非機密状態とを切り替えるセット状態切替部を備え、前記制御部は、前記セット状態切替部により前記機密状態とした状態で、前記優先処理制御を実行する構成としてもよい。
この構成によれば、第１のセット部にセットされたシートの機密情報が失われることを防止して、第１のセット部にセットされたシートを処理することができる。
【０００９】
また、上記構成において、前記シートは廃棄紙であり、前記シート処理部は、前記所定処理として、前記第１のセット部及び前記第２のセット部にセットされた廃棄紙を原料として再生紙を生成する処理を行う構成としてもよい。
この構成によれば、紙を再生する処理によって廃棄紙を処分する場合に、機密情報を有する廃棄紙を第１のセット部にセットすることにより、機密情報を有する廃棄紙を速やかに処分することができる。
【００１０】
次に、上記課題を解決するため、本発明の管理システムは、シートを処理するシート処理装置と、前記シート処理装置と通信可能に構成された管理装置とを備えた管理システムであって、前記管理装置は、前記シート処理装置のユーザーが特定ユーザーであるか否かを判定する判定部を有し、前記シート処理装置は、処理対象のシートがセットされる第１のセット部及び第２のセット部と、前記第１のセット部及び前記第２のセット部にセットされたシートに対して所定処理を行うシート処理部と、ユーザーによる認証操作を受け付ける操作部と、前記操作部によりユーザーによる認証操作を受け付けたときに、前記管理装置に対して、該認証操作を行ったユーザーが前記特定ユーザーであるか否かの判定を要求する判定要求データを送信し、該判定要求データの送信に応じて実行された前記判定部による判定の結果を示す判定結果データを、前記管理装置から受信したときに、該判定結果データに基づいて、該認証操作を行ったユーザーが前記特定ユーザーであることを認証する認証部と、前記認証部により前記特定ユーザーであると認証されたユーザーが、前記第１のセット部にシートをセットした場合に、前記第１のセット部にセットされたシートに対する前記所定処理を、前記第２のセット部にセットされたシートに対する前記所定処理よりも優先して行う優先処理制御を実行する制御部とを有することを特徴とする。
本発明の管理システムによれば、第１のセット部及び第２のセット部を備えることにより、複数のユーザーによるシート処理装置の利用時の利便性を向上させることができる。また、シート処理装置と管理装置との間の通信によって、シート処理装置のユーザーが特定ユーザーであることの認証が行われる。そして、ユーザーが特定ユーザーであると認証された場合に、このユーザーがセットした第１のセット部のシートに対する所定処理が、第２のセット部にセットされたシートよりも優先して行われる。そのため、特定ユーザーは、機密情報を有するシートを第１のセット部にセットすることにより、機密情報を有するシートを速やかに処理することができる。
【図面の簡単な説明】
【００１１】
【図１】シート処理装置の全体構成を示すブロック図。
【図２】シート処理装置の機構部の構成を示す模式図。
【図３】制御装置の構成を示すブロック図。
【図４】供給部の構成を示す模式図。
【図５】シート処理装置及び印刷装置の管理システムの構成図。
【図６】管理サーバーで管理されるデータの説明図。
【図７】シート処理装置の動作を示すフローチャート。
【図８】機密供給部を対象とした再生処理のフローチャート。
【図９】非機密供給部を対象とした再生処理のフローチャート。
【発明を実施するための形態】
【００１２】
以下、本発明の好適な実施形態について、図面を用いて詳細に説明する。なお、以下に説明する実施形態は、特許請求の範囲に記載された本発明の内容を限定するものではない。また、以下で説明される構成の全てが本発明の必須構成要件であるとは限らない。
【００１３】
［１．シート処理装置の全体構成］
図１は、実施形態に係るシート処理装置１００の全体構成を示すブロック図である。本実施形態のシート処理装置１００は、供給部１０ａ（本発明の第１のセット部又は第２のセット部に相当する），１０ｂ（本発明の第２のセット部又は第２のセット部に相当する）、解繊部２００、再生部２５０、排紙部９６、及び制御装置１１０を備えている。シート処理装置１００は、原料としての機密紙等の使用済みの古紙（廃棄紙）を、新しい紙に再生する再生処理（本発明の所定処理に相当する）を実行する。
【００１４】
供給部１０ａ，１０ｂは、ユーザーによりセットされる廃棄紙を解繊部２００に供給する。解繊部２００は、廃棄紙を乾式で解繊して繊維化し、再生部２５０に供給する。再生部２５０は、再生部２５０から供給される繊維を加圧、加熱、切断することによって新しい紙を製造し、排紙部９６に供給する。ユーザーは、排紙部９６に供給された紙を取り出して使用する。
【００１５】
制御装置１１０は、詳細は後述するが、メインプロセッサー、メモリー、各種インターフェイス等により構成されている。制御装置１１０は、メモリーに記憶されたシート処理装置１００の制御用プログラムを、メインプロセッサーで実行することにより、ユーザーの認証処理を行う認証部１５０、及びシート処理装置１００の全体的な作動を制御する制御部１５１として機能する。また、制御装置１１０は、ユーザーの認証に用いられるカードリーダー１３０（本発明の操作部に相当する）と、通信ネットワークを介した通信を行うための通信部１３５とを備えている。
【００１６】
供給部１０ａは、ユーザーにより廃棄紙がセットされるトレイ７０１ａ、及びトレイ７０１ａにセットされた廃棄紙を視認不能且つ取り出し不能に覆い隠すカバー７０２ａを備えている。さらに、供給部１０ａは、カバー７０２ａによりトレイ７０１ａが覆い隠された状態を固定するロック機構７０３ａ、カバー７０２ａの開閉状態を検出する開閉検出部７０４ａ、及びトレイ７０１ａ内の紙の有無を検出する紙検出部７０５ａを備えている。供給部１０ｂも、供給部１０ａと同様に、トレイ７０１ｂ、カバー７０２ｂ、ロック機構７０３ｂ、開閉検出部７０４ｂ、及び紙検出部７０５ｂを備えている。
【００１７】
供給部１０ａにおいて、カバー７０２ａとロック機構７０３ａとにより、本発明のセット状態切替部が構成される。また、供給部１０ｂにおいて、カバー７０２ｂとロック機構７０３ｂとにより、本発明のセット状態切替部が構成される。
【００１８】
［２．機構部の構成］
図２は、シート処理装置１００の機構部の構成を示す模式図である。図２を参照して、シート処理装置１００は、繊維化された原料に様々な添加物を混合することにより、用途に合わせて、紙製品の結合強度や白色度を向上したり、色、香り、難燃などの機能を付加したりしてもよい。また、紙の密度や厚さ、形状をコントロールして成形することで、Ａ４やＡ３のオフィス用紙、名刺用紙など、用途に合わせて、さまざまな厚さ・サイズの紙を製造することができる。
【００１９】
シート処理装置１００は、供給部１０ａ，１０ｂ、粗砕部１２、解繊部２０、選別部４０、第１ウェブ形成部４５、回転体４９、混合部５０、堆積部６０、第２ウェブ形成部７０、搬送部７９、シート形成部８０、切断部９０、及び排紙部９６を備えている。ここで、粗砕部１２、解繊部２０、及び選別部４０等により、図１に示した解繊部２００が構成される。第１ウェブ形成部４５、回転体４９、混合部５０、堆積部６０、第２ウェブ形成部７０、搬送部７９、シート形成部７０、及び切断部９０等により、図１に示した再生部２５０が構成される。解繊部２００と再生部２５０とにより、本発明のシート処理部が構成される。
【００２０】
シート処理装置１００は、原料に対する加湿、及び／または原料が移動する空間を加湿する目的で、加湿部２０２、２０４、２０６、２０８、２１０、２１２を備える。これら加湿部２０２、２０４、２０６、２０８、２１０、２１２の具体的な構成は任意であり、スチーム式、気化式、温風気化式、超音波式等が挙げられる。
【００２１】
本実施形態では、加湿部２０２、２０４、２０６、２０８を、気化式または温風気化式の加湿器で構成する。すなわち、加湿部２０２、２０４、２０６、２０８は、水を浸潤させるフィルター（図示略）を有し、フィルターに空気を通過させることにより、湿度を高めた加湿空気を供給する。
【００２２】
また、本実施形態では、加湿部２１０及び加湿部２１２を、超音波式加湿器で構成する。すなわち、加湿部２１０、２１２は、水を霧化する振動部（図示略）を有し、振動部により発生するミストを供給する。
【００２３】
供給部１０ａ，１０ｂは、粗砕部１２に原料を供給する。シート処理装置１００がシートを製造する原料は繊維を含むものであればよく、例えば、紙、パルプ、パルプシート、不織布を含む布、或いは織物等が挙げられる。本実施形態ではシート処理装置１００が廃棄紙を原料とする構成を例示する。本実施形態では、供給部１０ａ、１０ｂが廃棄紙を重ねて蓄積するトレイを備え、トレイから廃棄紙を粗砕部１２に送り出す構成となっている。
【００２４】
粗砕部１２は、供給部１０によって供給された原料を粗砕刃１４によって裁断（粗砕）して、粗砕片にする。粗砕刃１４は、大気中（空気中）等の気中で原料を裁断する。粗砕部１２は、例えば、原料を挟んで裁断する一対の粗砕刃１４と、粗砕刃１４を回転させる駆動部とを備え、いわゆるシュレッダーと同様の構成とすることができる。粗砕片の形状や大きさは任意であり、解繊部２０における解繊処理に適していればよい。例えば、粗砕部１２は、原料を、１〜数ｃｍ四方またはそれ以下のサイズの紙片に裁断する。
【００２５】
粗砕部１２は、粗砕刃１４により裁断されて落下する粗砕片を受けるシュート（ホッパー）９を有する。シュート９は、例えば、粗砕片が流れる方向（進行する方向）において、徐々に幅が狭くなるテーパー形状を有する。そのため、シュート９は、多くの粗砕片を受けとめることができる。シュート９には、解繊部２０に連通する管２が連結され、管２は粗砕刃１４によって裁断された原料（粗砕片）を、解繊部２０に搬送させるための搬送路を形成する。粗砕片はシュート９により集められ、管２を通って解繊部２０に移送（搬送）される。
【００２６】
粗砕部１２が有するシュート９、或いはシュート９の近傍には、加湿部２０２により加湿空気が供給される。これにより、粗砕刃１４により裁断された粗砕物が、静電気によってシュート９や管２の内面に吸着する現象を抑制できる。また、粗砕刃１４が裁断した粗砕物は、加湿された（高湿度の）空気とともに解繊部２０に移送されるので、解繊部２０の内部における解繊物の付着を抑制する効果も期待できる。また、加湿部２０２は、粗砕刃１４に加湿空気を供給して、供給部１０が供給する原料を除電する構成としてもよい。また、加湿部２０２とともにイオナイザーを用いて除電してもよい。
【００２７】
解繊部２０は、粗砕部１２で裁断された粗砕物を解繊する。より具体的には、解繊部２０は、粗砕部１２によって裁断された原料（粗砕片）を解繊処理し、解繊物を生成する。ここで、「解繊する」とは、複数の繊維が結着されてなる原料（被解繊物）を、繊維１本１本に解きほぐすことをいう。解繊部２０は、原料に付着した樹脂粒やインク、トナー、にじみ防止剤等の物質を、繊維から分離させる機能をも有する。
【００２８】
解繊部２０を通過したものを「解繊物」という。「解繊物」には、解きほぐされた解繊物繊維の他に、繊維を解きほぐす際に繊維から分離した樹脂（複数の繊維同士を結着させるための樹脂）粒や、インク、トナーなどの色剤や、にじみ防止剤、紙力増強剤等の添加剤を含んでいる場合もある。解きほぐされた解繊物の形状は、ひも（ｓｔｒｉｎｇ）状や平ひも（ｒｉｂｂｏｎ）状である。解きほぐされた解繊物は、他の解きほぐされた繊維と絡み合っていない状態（独立した状態）で存在してもよいし、他の解きほぐされた解繊物と絡み合って塊状となった状態（いわゆる「ダマ」を形成している状態）で存在してもよい。
【００２９】
解繊部２０は、乾式で解繊を行う。ここで、液体中ではなく、大気中（空気中）等の気中において、解繊等の処理を行うことを乾式と称する。本実施形態では、解繊部２０がインペラーミルを用いる構成とする。具体的には、解繊部２０は、高速回転するローター（図示略）、及び、ローターの外周に位置するライナー（図示略）を備える。粗砕部１２で裁断された粗砕片は、解繊部２０のローターとライナーとの間に挟まれて解繊される。解繊部２０は、ローターの回転により気流を発生させる。この気流により、解繊部２０は、原料である粗砕片を管２から吸引し、解繊物を排出口２４へと搬送できる。解繊物は排出口２４から管３に送り出され、管３を介して選別部４０に移送される。
【００３０】
このように、解繊部２０で生成される解繊物は、解繊部２０が発生する気流により解繊部２０から選別部４０に搬送される。さらに、本実施形態では、シート処理装置１００が気流発生装置である解繊部ブロアー２６を備え、解繊部ブロアー２６が発生する気流により解繊物が選別部４０に搬送される。解繊部ブロアー２６は管３に取り付けられ、解繊部２０から解繊物とともに空気を吸引し、選別部４０に送風する。
【００３１】
選別部４０は、管３から解繊部２０により解繊された解繊物が気流とともに流入する導入口４２を有する。選別部４０は、導入口４２に導入する解繊物を、繊維の長さによって選別する。詳細には、選別部４０は、解繊部２０により解繊された解繊物のうち、予め定められたサイズ以下の解繊物を第１選別物とし、第１選別物より大きい解繊物を第２選別物として、選別する。第１選別物は繊維または粒子等を含み、第２選別物は、例えば、大きい繊維、未解繊片（十分に解繊されていない粗砕片）、解繊された繊維が凝集し、或いは絡まったダマ等を含む。
【００３２】
本実施形態で、選別部４０は、ドラム部（篩部）４１と、ドラム部４１を収容するハウジング部（覆い部）４３と、を有する。
【００３３】
ドラム部４１は、モーターによって回転駆動される円筒の篩である。ドラム部４１は、網（フィルター、スクリーン）を有し、篩（ふるい）として機能する。この網の目により、ドラム部４１は、網の目開き（開口）の大きさより小さい第１選別物と、網の目開きより大きい第２選別物とを選別する。ドラム部４１の網としては、例えば、金網、切れ目が入った金属板を引き延ばしたエキスパンドメタル、金属板にプレス機等で穴を形成したパンチングメタルを用いることができる。
【００３４】
導入口４２に導入された解繊物は気流とともにドラム部４１の内部に送り込まれ、ドラム部４１の回転によって第１選別物がドラム部４１の網の目から下方に落下する。ドラム部４１の網の目を通過できない第２選別物は、導入口４２からドラム部４１に流入する気流により流されて排出口４４に導かれ、管８に送り出される。
【００３５】
管８は、ドラム部４１の内部と管２とを連結する。管８を通って流される第２選別物は、粗砕部１２により裁断された粗砕片とともに管２を流れ、解繊部２０の導入口２２に導かれる。これにより、第２選別物は解繊部２０に戻されて、解繊処理される。
【００３６】
また、ドラム部４１により選別される第１選別物は、ドラム部４１の網の目を通って空気中に分散し、ドラム部４１の下方に位置する第１ウェブ形成部４５のメッシュベルト４６に向けて降下する。
【００３７】
第１ウェブ形成部４５（分離部）は、メッシュベルト４６（分離ベルト）と、ローラー４７と、吸引部（サクション機構）４８と、を含む。メッシュベルト４６は無端形状のベルトであって、３つのローラー４７に懸架され、ローラー４７の動きにより、図中矢印で示す方向に搬送される。メッシュベルト４６の表面は所定サイズの開口が並ぶ網で構成される。選別部４０から降下する第１選別物のうち、網の目を通過するサイズの微粒子はメッシュベルト４６の下方に落下し、網の目を通過できないサイズの繊維がメッシュベルト４６に堆積し、メッシュベルト４６とともに矢印方向に搬送される。メッシュベルト４６から落下する微粒子は、解繊物の中で比較的小さいものや密度の低いもの（樹脂粒や色剤や添加剤など）を含み、シート処理装置１００がシートＳの製造に使用しない除去物である。
【００３８】
メッシュベルト４６は、シートＳを製造する通常動作中には、一定の速度Ｖ１で移動する。ここで、通常動作中とは、後述するシート処理装置１００の始動制御、及び、停止制御の実行中を除く動作中であり、より詳細には、シート処理装置１００が望ましい品質のシートＳを製造している間を指す。
【００３９】
従って、解繊部２０で解繊処理された解繊物は、選別部４０で第１選別物と第２選別物とに選別され、第２選別物が解繊部２０に戻される。また、第１選別物から、第１ウェブ形成部４５によって除去物が除かれる。第１選別物から除去物を除いた残りは、シートＳの製造に適した材料であり、この材料はメッシュベルト４６に堆積して第１ウェブＷ１を形成する。
【００４０】
吸引部４８は、メッシュベルト４６の下方から空気を吸引する。吸引部４８は、管２３を介して集塵部２７に連結される。集塵部２７はフィルター式或いはサイクロン式の集塵装置であり、微粒子を気流から分離する。集塵部２７の下流には捕集ブロアー２８（分離吸引部）が設置され、捕集ブロアー２８は、集塵部２７から空気を吸引する。また、捕集ブロアー２８が排出する空気は管２９を経てシート処理装置１００の外に排出される。
【００４１】
この構成では、捕集ブロアー２８により、集塵部２７を通じて吸引部４８から空気が吸引される。吸引部４８では、メッシュベルト４６の網の目を通過する微粒子が、空気と共に吸引され、管２３を通って集塵部２７に送られる。集塵部２７は、メッシュベルト４６を通過した微粒子を気流から分離して蓄積する。
【００４２】
従って、メッシュベルト４６の上には第１選別物から除去物を除去した繊維が堆積して第１ウェブＷ１が形成される。捕集ブロアー２８が吸引を行うことで、メッシュベルト４６上における第１ウェブＷ１の形成が促進され、かつ、除去物が速やかに除去される。
【００４３】
ドラム部４１を含む空間には、加湿部２０４により加湿空気が供給される。この加湿空気によって、選別部４０の内部で第１選別物を加湿する。これにより、静電力による第１選別物のメッシュベルト４６への付着を弱め、第１選別物をメッシュベルト４６から剥離し易くすることができる。さらに、静電力により第１選別物が回転体４９やハウジング部４３の内壁に付着することを抑制できる。また、吸引部４８によって除去物を効率よく吸引できる。
【００４４】
なお、シート処理装置１００において、第１解繊物と第２解繊物とを選別し、分離する構成は、ドラム部４１を備える選別部４０に限定されない。例えば、解繊部２０で解繊処理された解繊物を、分級機によって分級する構成を採用してもよい。分級機としては、例えば、サイクロン分級機、エルボージェット分級機、エディクラシファイヤーを用いることができる。これらの分級機を用いれば、第１選別物と第２選別物とを選別し、分離することが可能である。さらに、上記の分級機により、解繊物の中で比較的小さいものや密度の低いもの（樹脂粒や色剤や添加剤など）を含む除去物を、分離して除去する構成を実現できる。例えば、第１選別物に含まれる微粒子を、分級機によって、第１選別物から除去する構成としてもよい。この場合、第２選別物は、例えば解繊部２０に戻され、除去物は集塵部２７により集塵され、除去物を除く第１選別物が管５４に送られる構成とすることができる。
【００４５】
メッシュベルト４６の搬送経路において、選別部４０の下流側には、加湿部２１０によって、ミストを含む空気が供給される。加湿部２１０が生成する水の微粒子であるミストは、第１ウェブＷ１に向けて降下し、第１ウェブＷ１に水分を供給する。これにより、第１ウェブＷ１が含む水分量が調整され、静電気によるメッシュベルト４６への繊維の吸着等を抑制できる。
【００４６】
シート処理装置１００は、メッシュベルト４６に堆積した第１ウェブＷ１を分断する回転体４９を備える。第１ウェブＷ１は、メッシュベルト４６がローラー４７により折り返す位置で、メッシュベルト４６から剥離して、回転体４９により分断される。
【００４７】
第１ウェブＷ１は繊維が堆積してウェブ形状となった柔らかい材料であり、回転体４９は、第１ウェブＷ１の繊維をほぐして、後述する混合部５０で樹脂を混合しやすい状態に加工する。
【００４８】
回転体４９の構成は任意であるが、本実施形態では、板状の羽根を有し回転する回転羽形状とすることができる。回転体４９は、メッシュベルト４６から剥離する第１ウェブＷ１と羽根とが接触する位置に配置される。回転体４９の回転（例えば図中矢印Ｒで示す方向への回転）により、メッシュベルト４６から剥離して搬送される第１ウェブＷ１に羽根が衝突して分断し、細分体Ｐを生成する。
【００４９】
なお、回転体４９は、回転体４９の羽根がメッシュベルト４６に衝突しない位置に設置されることが好ましい。例えば、回転体４９の羽根の先端とメッシュベルト４６との間隔を、０．０５ｍｍ以上０．５ｍｍ以下とすることができ、この場合、回転体４９によって、メッシュベルト４６に損傷を与えることなく第１ウェブＷ１を効率よく分断できる。
【００５０】
回転体４９によって分断された細分体Ｐは、管７の内部を下降して、管７の内部を流れる気流によって混合部５０へ移送（搬送）される。
【００５１】
また、回転体４９を含む空間には、加湿部２０６により加湿空気が供給される。これにより、管７の内部や、回転体４９の羽根に対し、静電気により繊維が吸着する現象を抑制できる。また、管７を通って、湿度の高い空気が混合部５０に供給されるので、混合部５０においても静電気による影響を抑制できる。
【００５２】
混合部５０は、樹脂を含む添加物を供給する添加物供給部５２、管７に連通し、細分体Ｐを含む気流が流れる管５４、及び、混合ブロアー５６（移送ブロアー）を備える。
【００５３】
細分体Ｐは、上述のように選別部４０を通過した第１選別物から除去物を除去した繊維である。混合部５０は、細分体Ｐを構成する繊維に、樹脂を含む添加物を混合する。
【００５４】
混合部５０では、混合ブロアー５６によって気流を発生させ、管５４中において、細分体Ｐと添加物とを混合させながら、搬送する。また、細分体Ｐは、管７及び管５４の内部を流れる過程でほぐされて、より細かい繊維状となる。
【００５５】
添加物供給部５２（樹脂収容部）は、添加物を蓄積する添加物カートリッジ（図示略）に接続され、添加物カートリッジ内部の添加物を管５４に供給する。添加物カートリッジは、添加物供給部５２に着脱可能な構成であってもよい。また、添加物カートリッジに添加物を補充する構成を備えてもよい。添加物供給部５２は、添加物カートリッジ内部の微粉または微粒子からなる添加物をいったん貯留する。添加物供給部５２は、いったん貯留した添加物を管５４に送る排出部５２ａ（樹脂供給部）を有する。排出部５２ａは、添加物供給部５２に貯留された添加物を管５４に送出するフィーダー（図示略）、及び、フィーダーと管５４とを接続する管路を開閉するシャッター（図示略）を備える。このシャッターを閉じると、排出部５２ａと管５４とを連結する管路或いは開口が閉鎖され、添加物供給部５２から管５４への添加物の供給が絶たれる。
【００５６】
排出部５２ａのフィーダーが動作していない状態では、排出部５２ａから管５４に添加物が供給されないが、管５４内に負圧が発生した場合等には、排出部５２ａのフィーダーが停止していても添加物が管５４に流れる可能性がある。排出部５２ａを閉じることにより、このような添加物の流れを確実に遮断できる。
【００５７】
添加物供給部５２が供給する添加物は、複数の繊維を結着させるための樹脂を含む。添加物に含まれる樹脂は、熱可塑性樹脂や熱硬化性樹脂であり、例えば、ＡＳ樹脂、ＡＢＳ樹脂、ポリプロピレン、ポリエチレン、ポリ塩化ビニル、ポリスチレン、アクリル樹脂、ポリエステル樹脂、ポリエチレンテレフタレートである。或いは、ポリフェニレンエーテル、ポリブチレンテレフタレート、ナイロン、ポリアミド、ポリカーボネート、ポリアセタール、ポリフェニレンサルファイド、ポリエーテルエーテルケトン、などである。これらの樹脂は、単独または適宜混合して用いてもよい。すなわち、添加物は、単一の物質を含んでもよいし、混合物であってもよく、それぞれ単一または複数の物質で構成される、複数種類の粒子を含んでもよい。また、添加物は、繊維状であってもよく、粉末状であってもよい。
【００５８】
添加物に含まれる樹脂は、加熱により溶融して複数の繊維同士を結着させる。従って、樹脂を繊維と混合させた状態で、樹脂が溶融する温度まで加熱されていない状態では、繊維同士は結着されない。
【００５９】
また、添加物供給部５２が供給する添加物は、繊維を結着させる樹脂の他、製造されるシートの種類に応じて、繊維を着色するための着色剤や、繊維の凝集や樹脂の凝集を抑制するための凝集抑制剤、繊維等を燃えにくくするための難燃剤を含んでもよい。また、着色剤を含まない添加物は、無色、或いは無色と見なせる程度に薄い色であってもよいし、白色であってもよい。
【００６０】
混合ブロアー５６が発生する気流により、管７を降下する細分体Ｐ、及び、添加物供給部５２により供給される添加物は、管５４の内部に吸引され、混合ブロアー５６内部を通過する。混合ブロアー５６が発生する気流及び／または混合ブロアー５６が有する羽根等の回転部の作用により、細分体Ｐを構成した繊維と添加物とが混合され、この混合物（第１選別物と添加物との混合物）は管５４を通って堆積部６０に移送される。
【００６１】
なお、第１選別物と添加物とを混合させる機構は、特に限定されず、高速回転する羽根により攪拌するものであってもよいし、Ｖ型ミキサーのように容器の回転を利用するものであってもよく、これらの機構を混合ブロアー５６の前または後に設置してもよい。
【００６２】
堆積部６０は、混合部５０を通過した混合物を導入口６２から導入し、絡み合った解繊物（繊維）をほぐして、空気中で分散させながら降らせる。さらに、堆積部６０は、添加物供給部５２から供給される添加物の樹脂が繊維状である場合、絡み合った樹脂をほぐす。これにより、堆積部６０は、第２ウェブ形成部７０に、混合物を均一性よく堆積させることができる。
【００６３】
堆積部６０は、ドラム部６１（ドラム）と、ドラム部６１を収容するハウジング部（覆い部）６３と、を有する。ドラム部６１は、モーターによって回転駆動される円筒の篩である。ドラム部６１は、網（フィルター、スクリーン）を有し、篩（ふるい）として機能する。この網の目により、ドラム部６１は、網の目開き（開口）のより小さい繊維や粒子を通過させ、ドラム部６１から下降させる。ドラム部６１の構成は、例えば、ドラム部４１の構成と同じである。
【００６４】
なお、ドラム部６１の「篩」は、特定の対象物を選別する機能を有していなくてもよい。すなわち、ドラム部６１として用いられる「篩」とは、網を備えたもの、という意味であり、ドラム部６１は、ドラム部６１に導入された混合物の全てを降らしてもよい。
【００６５】
ドラム部６１の下方には第２ウェブ形成部７０が配置される。第２ウェブ形成部７０（ウェブ形成部）は、堆積部６０を通過した通過物を堆積して、第２ウェブＷ２（堆積物）を形成する。第２ウェブ形成部７０は、例えば、メッシュベルト７２（ベルト）と、ローラー７４と、サクション機構７６と、を有する。
【００６６】
メッシュベルト７２は無端形状のベルトであって、複数のローラー７４に懸架され、ローラー７４の動きにより、図中矢印で示す方向に搬送される。メッシュベルト７２は、例えば、金属製、樹脂製、布製、あるいは不織布等である。メッシュベルト７２の表面は所定サイズの開口が並ぶ網で構成される。ドラム部６１から降下する繊維や粒子のうち、網の目を通過するサイズの微粒子はメッシュベルト７２の下方に落下し、網の目を通過できないサイズの繊維がメッシュベルト７２に堆積し、メッシュベルト７２とともに矢印方向に搬送される。また、メッシュベルト７２の移動速度は、制御装置１１０（図１）により制御できる。メッシュベルト７２は、シートＳを製造する通常動作中には、一定の速度Ｖ２で移動する。通常動作中とは、上述した通りである。
【００６７】
メッシュベルト７２の網の目は微細であり、ドラム部６１から降下する繊維や粒子の大半を通過させないサイズとすることができる。
【００６８】
サクション機構７６は、メッシュベルト７２の下方（堆積部６０側とは反対側）に設けられる。サクション機構７６は、サクションブロアー７７を備え、サクションブロアー７７の吸引力によって、サクション機構７６に下方に向く気流（堆積部６０からメッシュベルト７２に向く気流）を発生させることができる。
【００６９】
サクション機構７６によって、堆積部６０により空気中に分散された混合物をメッシュベルト７２上に吸引する。これにより、メッシュベルト７２上における第２ウェブＷ２の形成を促進し、堆積部６０からの排出速度を大きくすることができる。さらに、サクション機構７６によって、混合物の落下経路にダウンフローを形成することができ、落下中に解繊物や添加物が絡み合うことを防ぐことができる。
【００７０】
サクションブロアー７７（堆積吸引部）は、サクション機構７６から吸引した空気を、図示しない捕集フィルターを通じて、シート処理装置１００の外に排出してもよい。或いは、サクションブロアー７７が吸引した空気を集塵部２７に送り込み、サクション機構７６が吸引した空気に含まれる除去物を捕集してもよい。
【００７１】
ドラム部６１を含む空間には、加湿部２０８により加湿空気が供給される。この加湿空気によって、堆積部６０の内部を加湿することができ、静電力によるハウジング部６３への繊維や粒子の付着を抑え、繊維や粒子をメッシュベルト７２に速やかに降下させ、好ましい形状の第２ウェブＷ２を形成させることができる。
【００７２】
以上のように、堆積部６０および第２ウェブ形成部７０（ウェブ形成工程）を経ることにより、空気を多く含み柔らかくふくらんだ状態の第２ウェブＷ２が形成される。メッシュベルト７２に堆積された第２ウェブＷ２は、シート形成部８０へと搬送される。
【００７３】
メッシュベルト７２の搬送経路において、堆積部６０の下流側には、加湿部２１２によって、ミストを含む空気が供給される。これにより、加湿部２１２が生成するミストが第２ウェブＷ２に供給され、第２ウェブＷ２が含む水分量が調整される。これにより、静電気によるメッシュベルト７２への繊維の吸着等を抑制できる。
【００７４】
シート処理装置１００は、メッシュベルト７２上の第２ウェブＷ２を、シート形成部８０に搬送する搬送部７９が設けられる。搬送部７９は、例えば、メッシュベルト７９ａと、ローラー７９ｂと、サクション機構７９ｃと、を有する。
【００７５】
サクション機構７９ｃは、ブロアー（図示略）を備え、ブロアーの吸引力によってメッシュベルト７９ａに上向きの気流を発生させる。この気流は第２ウェブＷ２を吸引し、第２ウェブＷ２は、メッシュベルト７２から離れてメッシュベルト７９ａに吸着される。メッシュベルト７９ａは、張架ローラー７９ｂの自転により移動し、第２ウェブＷ２をシート形成部８０に搬送する。メッシュベルト７２の移動速度と、メッシュベルト７９ａの移動速度とは、例えば、同じである。
【００７６】
このように、搬送部７９は、メッシュベルト７２に形成された第２ウェブＷ２を、メッシュベルト７２から剥がして搬送する。
【００７７】
シート形成部８０は、メッシュベルト７２に堆積し搬送部７９により搬送された第２ウェブＷ２を、加圧加熱してシートＳを成形する。シート形成部８０では、第２ウェブＷ２が含む解繊物の繊維、および添加物に対して熱を加えることにより、混合物中の複数の繊維を、互いに添加物（樹脂）を介して結着させる。
【００７８】
シート形成部８０は、第２ウェブＷ２を加圧する加圧部８２、及び、加圧部８２により加圧された第２ウェブＷ２を加熱する加熱部８４を備える。
【００７９】
加圧部８２は、一対のカレンダーローラー８５で構成され、第２ウェブＷ２を所定のニップ圧で挟んで加圧する。第２ウェブＷ２は、加圧されることによりその厚さが小さくなり、第２ウェブＷ２の密度が高められる。加圧部８２は、加圧部駆動モーター３３２（図４）を備え、一対のカレンダーローラー８５の一方は、加圧部駆動モーター３３２により駆動される駆動ローラーであり、他方は従動ローラーである。カレンダーローラー８５は、加圧部駆動モーター３３２の駆動力により回転して、加圧により高密度になった第２ウェブＷ２を、加熱部８４に向けて搬送する。
【００８０】
加熱部８４は、例えば、加熱ローラー（ヒーターローラー）、熱プレス成形機、ホットプレート、温風ブロアー、赤外線加熱器、フラッシュ定着器を用いて構成できる。本実施形態では、加熱部８４は、一対の加熱ローラー８６を備える。加熱ローラー８６は、内部または外部に設置されるヒーターによって、予め設定された温度に加温される。加熱ローラー８６は、カレンダーローラー８５によって加圧された第２ウェブＷ２を挟んで熱を与え、シートＳを形成する。
【００８１】
このように、堆積部６０で形成された第２ウェブＷ２は、シート形成部８０で加圧および加熱されて、シートＳとなる。
【００８２】
加熱部８４は、加熱部駆動モーター３３１（図４）を備える。一対の加熱ローラー８６の一方は、加熱部駆動モーター３３１により駆動される駆動ローラーであり、他方は従動ローラーである。加熱ローラー８６は、加熱部駆動モーター３３１の駆動力により回転して、加熱したシートＳを、切断部９０に向けて搬送する。
【００８３】
なお、加圧部８２が備えるカレンダーローラー８５の数、及び、加熱部８４が備える加熱ローラー８６の数は、特に限定されない。
【００８４】
切断部９０（カッター部）は、シート形成部８０によって成形されたシートＳを切断する。本実施形態では、切断部９０は、図中符号Ｆで示すシートＳの搬送方向と交差する方向にシートＳを切断する第１切断部９２と、搬送方向Ｆに平行な方向にシートＳを切断する第２切断部９４と、を有する。第２切断部９４は、例えば、第１切断部９２を通過したシートＳを切断する。
【００８５】
以上により、所定のサイズの単票のシートＳが成形される。切断された単票のシートＳは、排紙部９６へと排出される。排紙部９６は、所定サイズのシートＳを載せるトレイ或いはスタッカーを備える。
【００８６】
上記構成において、加湿部２０２、２０４、２０６、２０８を１台の気化式加湿器で構成してもよい。この場合、１台の加湿器が生成する加湿空気が、粗砕部１２、ハウジング部４３、管７、及びハウジング部６３に分岐して供給される構成とすればよい。この構成は、加湿空気を供給するダクト（図示略）を分岐して設置することにより、容易に実現できる。また、２台、或いは３台の気化式加湿器によって加湿部２０２、２０４、２０６、２０８を構成することも勿論可能である。
【００８７】
また、上記構成において、加湿部２１０、２１２を１台の超音波式加湿器で構成してもよいし、２台の超音波式加湿器で構成してもよい。例えば、１台の加湿器が生成するミストを含む空気が、加湿部２１０、及び加湿部２１２に分岐して供給される構成とすることができる。
【００８８】
また、上述したシート処理装置１００が備えるブロアーは、解繊部ブロアー２６、捕集ブロアー２８、混合ブロアー５６、サクションブロアー７７、及び、中間ブロアーに限定されない。例えば、上述した各ブロアーを補助する送風機をダクトに設けることも、勿論可能である。
【００８９】
［３．制御装置の構成］
図３は、制御装置１１０の構成を示すブロック図である。図３を参照して、制御装置１１０は、メインプロセッサー１１１、ＲＯＭ（Read Only Memory）１１２、及びＲＡＭ（Random Access Memory）１１３を備える。メインプロセッサー１１１は、ＣＰＵ（Central Processing Unit）等の演算処理装置であり、ＲＯＭ１１２が記憶する基本制御プログラムを実行することにより、シート処理装置１００の各部を制御する。メインプロセッサー１１１は、ＲＯＭ１１２、ＲＡＭ１１３等の周辺回路や他のＩＰコアを含むシステムチップとして構成されてもよい。
【００９０】
ＲＯＭ１１２は、メインプロセッサー１１１が実行するプログラムを不揮発的に記憶する。ＲＡＭ１１３は、メインプロセッサー１１１が使用するワークエリアを形成して、メインプロセッサー１１１が実行するプログラムや処理対象のデータを一時的に記憶する。
【００９１】
不揮発性記憶部１２０はメインプロセッサー１１１が実行するプログラムや、メインプロセッサー１１１が処理するデータを記憶する。不揮発性記憶部１２０は、例えば、設定データ１２１、及び、表示データ１２２を記憶する。設定データ１２１は、シート処理装置１００の動作を設定するデータを含む。例えば、設定データ１２１は、シート処理装置１００が備える各種センサーの特性や、各種センサーの検出値に基づきメインプロセッサー１１１が異常を検出する処理で使用される閾値等のデータを含む。表示データ１２２は、メインプロセッサー１１１が表示パネル１１６に表示させる画面のデータである。表示データ１２２は、固定的な画像データであってもよいし、メインプロセッサー１１１が生成或いは取得するデータを表示する画面表示を設定するデータであってもよい。
【００９２】
表示パネル１１６は、液晶ディスプレイ等の表示用のパネルであり、例えば、シート処理装置１００の正面に設置される。表示パネル１１６は、メインプロセッサー１１１の制御に従って、シート処理装置１００の動作状態、各種設定値、警告表示等を表示する。
【００９３】
タッチセンサー１１７は、ユーザーによるタッチ（接触）操作や押圧操作を検出する。タッチセンサー１１７は、例えば、透明電極を有する圧力感知式あるいは静電容量式のセンサーで構成され、表示パネル１１６の表示面に重ねて配置される。タッチセンサー１１７は、操作を検出した場合、操作位置や操作位置の数を含む操作データをメインプロセッサー１１１に出力する。メインプロセッサー１１１は、タッチセンサー１１７の出力により、表示パネル１１６に対する操作を検出し、操作位置を取得する。メインプロセッサー１１１は、タッチセンサー１１７により検出した操作位置と、表示パネル１１６に表示中の表示データ１２２とに基づき、ＧＵＩ（Graphical User Interface）操作を実現する。
【００９４】
制御装置１１０はセンサーＩ／Ｆ（Interface）１１４を介して、シート処理装置１００の各部に設置されたセンサー１４０に接続される。センサーＩ／Ｆ１１４は、センサー１４０が出力する検出値を取得してメインプロセッサー１１１に入力するインターフェイスである。センサーＩ／Ｆ１１４は、センサーが出力するアナログ信号をデジタルデータに変換するＡ／Ｄ（Analogue/Digital）コンバーターを備えてもよい。また、センサーＩ／Ｆ１１４は、各センサー１４０に駆動電流を供給してもよい。また、センサーＩ／Ｆ１１４は、各のセンサー１４０の出力値を、メインプロセッサー１１１が指定するサンプリング周波数に従って取得し、メインプロセッサー１１１に出力する回路を備えてもよい。
【００９５】
制御装置１１０は、駆動部Ｉ／Ｆ（Interface）１１５を介して、シート処理装置１００が備える各駆動部１４１に接続される。シート処理装置１００が備える駆動部１４１は、モーター、ポンプ、ヒーター等である。制御装置１１０は、通信ネットワークを介して通信を行うための通信部１３５を備え、後述する管理サーバー５００（図５参照、本発明の管理装置に相当する）等との間で通信を行う。
【００９６】
制御装置１１０は、ユーザーが所持するＩＤカードからユーザーＩＤを読み込むカードリーダー１３０を備えている。さらに、制御装置１１０は、シート処理装置１００に投入された原料紙の枚数をカウントする投入紙カウンター１３１、及びシート処理装置１００により製造された再生紙の枚数をカウントする再生紙カウンター１３２を備えている。制御装置１１０は、カードリーダー１３０を用いてユーザーの認証を行い、投入紙カウンター１３１を用いて投入枚数を認識し、再生紙カウンター１３２を用いて再生枚数を認識する。
【００９７】
［４．供給部の構成］
図４は、供給部１０ａ，１０ｂの構成を示した模式図であり、符号Ａにより示した左側の図はカバー７０２ａ，７０２ｂが開いた状態を示し、符号Ｂにより示した右側の図はカバー７０２ａ，７０２ｂが閉じた状態を示している。
【００９８】
供給部１０ａと供給部１０ｂの構成は同様であるため、ここでは供給部１０ａの構成について説明する。ユーザーは、原料紙をセットする際には、図４のＡに示したように、カバー７０２ａを開けてテーブル７００ａに載置されたトレイ７０１ａを引き出し、トレイ７０１ａ内に原料紙をセットする。そして、ユーザーは、図４のＢに示したように、トレイ７０１ａをセット位置まで押し込んでカバー７０２ａを閉める。
【００９９】
カバー７０２ａは不透明の材料（樹脂等）により形成されており、図４のＢに示したカバー７０２ａが閉じた状態では、付近に所在する者がトレイ７０１ａにセットされた紙を視認することができない。また、付近に所在する者がトレイ７０１ａにセットされた紙を取り出すこともできない。
【０１００】
ロック機構７０３ａは、カバー７０２ａに設けられた溝部（図示しない）と、テーブル７００ａに設けられた可動式の爪部７０６ａとにより構成される。そして、溝部に爪部７０６ａが係止されることによって、カバー７０２ａがトレイ７０１ａを覆い隠した状態が固定される。
【０１０１】
図４のＢでは、供給部１０ａが、ロック機構７０３ａによりカバー７０２ａが閉じた状態に固定された状態（機密状態）となっており、供給部１０ｂが、カバー７０２ｂの開閉がフリーな状態（非機密状態）となっている。
【０１０２】
［５．管理システムの構成］
図５は、２台のシート処理装置１００（第１シート処理装置１００ａ，第２シート処理装置１００ｂ）、及び印刷装置３００の利用情報を管理サーバー５００によりユーザー毎に管理する管理システムの構成図である。
【０１０３】
第１シート処理装置１００ａは、第１シート処理装置１００ａが利用された際に、利用したユーザーのユーザーＩＤと第１シート処理装置１００ａの利用情報とを対応付けた第１利用情報（図５ではＤＡ１の符号により示している）を生成する。そして、第１シート処理装置１００ａは、第１利用情報を管理サーバー５００に送信する。
【０１０４】
同様に、第２シート処理装置１００ｂは、第２シート処理装置１００ｂが利用された際に、利用したユーザーのユーザーＩＤと第２シート処理装置１００ｂの利用情報とを対応付けた第２利用情報（図５ではＤＡ２の符号により示している）を生成する。そして、第２シート処理装置１００ｂは、第２利用情報を管理サーバー５００に送信する。
【０１０５】
また、印刷装置３００は、印刷装置３００が利用された際に、利用したユーザーのユーザーＩＤと印刷装置３００の利用情報とを対応付けた第３利用情報（図５ではＤＡ３の符号により示している）を生成する。そして、印刷装置３００は、第３利用情報を管理サーバー５００に送信する。
【０１０６】
管理サーバー５００は、ＣＰＵ、メモリー、各種インターフェイス回路等により構成されたコンピューターシステムである。管理サーバー５００は、メモリーに記憶された管理サーバー５００用の制御プログラムをＣＰＵにより実行することによって、利用情報取得部５０１、及び利用情報記憶部５１０の制御部として機能する。
【０１０７】
利用情報取得部５０１は、第１シート処理装置１００ａから送信される第１利用情報、第２シート処理装置１００ｂから送信される第２利用情報、及び印刷装置３００から送信される第３利用情報を、通信ネットワーク９００を介した通信により取得する。
【０１０８】
利用情報記憶部５１０は、ユーザーＩＤと、第１シート処理装置１００ａ、第２シート処理装置１００ｂ、及び印刷装置３００の利用許諾設定と、メールアドレスとを対応付けて、ユーザーＤＢ（Data Base）に記憶する。ユーザーＩＤは、所定の登録手続きにより発行される。また、利用情報記憶部５１０は、各ユーザーＩＤと、第１シート処理装置１００ａ、第２シート処理装置１００ｂ、及び印刷装置３００とを対応付けて、利用管理ＤＢ５１２に記憶する。さらに、利用情報記憶部５１０は、各ユーザーＩＤと、第１シート処理装置１００ａ、第２シート処理装置１００ｂ、及び印刷装置３００の使用履歴の情報とを対応付けて、利用履歴ＤＢ５１３に記憶する。
【０１０９】
ここで、図６は、管理サーバー５００で管理されるデータの説明図である。図６を参照して、ユーザーＤＢ５１１には、各ユーザーのユーザーＩＤ（Ａ，Ｂ，…）と、第１シート処理装置１００ａ、第２シート処理装置１００ｂ、及び印刷装置３００の利用許諾の設定と、各ユーザーのメールアドレスとが対応付けて記憶されている。
【０１１０】
図６の例では、ユーザーＩＤ「Ａ」については第１シート処理装置１００ａと印刷装置３００の利用が許可されているのに対し、ユーザーＩＤ「Ｂ」については印刷装置３００の利用のみが許可されている。第１シート処理装置１００ａの利用が許可されたユーザーＩＤを有するユーザー（本発明の特定ユーザーに相当する）は、供給部１０ａ，１０ｂを機密状態として、第１シート処理装置１００ａによる再生を実行させることができる。
【０１１１】
一方、第１シート処理装置１００ａの利用が許可されていないユーザーは、供給部１０ａ，１０ｂを機密状態として、第１シート処理装置１００ａによる再生を実行させることができない。しかし、利用が許可されていないユーザーは、供給部１０ａ，１０ｂを非機密状態として、第１シート処理装置１００ａによる再生処理を実行させることができる。第２シート処理装置１００ｂについても同様である。
【０１１２】
利用管理ＤＢ５１２には、各ユーザーＩＤ（Ａ，Ｂ，…）と、各ユーザーによる第１シート処理装置１００ａ、第２シート処理装置１００ｂ、及び印刷装置３００の利用実績とが対応付けて記憶されている。第１シート処理装置１００ａ及び第２シート処理装置１００ｂの累積処理枚数と累積再生枚数は、合算して記憶されている。また、利用履歴ＤＢ５１３には、各ユーザーＩＤ（Ａ，Ｂ，…）と、各ユーザーによる第１シート処理装置１００ａ、第２シート処理装置１００ｂ、及び印刷装置３００の利用状況とが、対応付けて記憶されている。
【０１１３】
［６．シート処理装置の動作］
図７は、シート処理装置１００（１００ａ，１００ｂ）の動作を示すフローチャートである。第１シート処理装置１００ａと、第２シート処理装置１００ｂの構成及び動作は同様であるので、以下では第１シート処理装置１００ａの動作について説明する。
【０１１４】
図７のステップＳ１〜Ｓ３及びステップＳ１０は、認証部１５０による処理である。認証部１５０は、ステップＳ１で、カードリーダー１３０にＩＤカードを挿入することによるユーザー認証操作を受け付けたときに、ステップＳ２に進む。ステップＳ２で、認証部１５０は、空き供給部の有無（供給部１０ａ，１０ｂのうちの少なくともいずれか一方が空いているか否か）を判断する。
【０１１５】
そして、認証部１５０は、空き供給部が有るときはステップＳ３に処理を進める。また、空き供給部が無いときには、認証部１５０は、ステップＳ１０に処理を進めて、「現在処理中の紙がなくなるまで、お待ち下さい」等のガイド画面を表示パネル１１６に表示してステップＳ１に処理を進める。
【０１１６】
ステップＳ３で、認証部１５０は、ＩＤカードから読み込んだユーザーＩＤを管理サーバー５００に送信してユーザーの認証を依頼する。ここで、第１シート処理装置１００ａから管理サーバー５００に送信されるユーザーＩＤのデータは、本発明のユーザーが特定ユーザーであるか否かの判定を要求する判定要求データに相当する。
【０１１７】
管理サーバー５００は、第１シート処理装置１００ａから受信したユーザーＩＤについて、ユーザーＤＢ５１１を参照して、第１シート処理装置１００ａの利用が許可されているか否かを判定する。この判定を行う構成は、本発明の判定部に相当する。そして、管理サーバー５００は、第１シート処理装置１００ａの利用が許可されている場合は「認証ＯＫ」を示すデータを返信し、第１シート処理装置１００ａの利用が許可されていない場合には「認証ＮＧ」を示すデータを返信する。ここで、「認証ＯＫ」を示すデータ及び「認証ＮＧ」を示すデータは、本発明の判定結果データに相当する。
【０１１８】
認証部１５０は、管理サーバー５００から「認証ＯＫ」を示すデータを受信したか、或いは「認証ＮＧ」を示すデータを受信したかを判断して、ユーザーが第１シート処理装置の利用が許可されたユーザー（特定ユーザー）であるか否かを認証する。
【０１１９】
続くステップＳ４以降は、制御部１５１による処理である。制御部１５１は、ステップＳ４で、供給部１０ａ又は供給部１０ｂに廃棄紙がセットされてカバー７０２ａ又はカバー７０２ｂが閉められたか否かを、紙検出部７０５ａ，７０５ｂ及び開閉検出部７０４ａ，７０４ｂの検出信号に基づいて認識する。そして、制御部１５１は、供給部１０ａ又は供給部１０ｂに紙がセットされてカバー７０２ａ又はカバー７０２ｂが閉められたことを認識したときに、ステップＳ５に処理を進める。
【０１２０】
ステップＳ５で、制御部１５１は、ステップＳ３において認証部１５０による認証が成功したか否かを判断し、認証が成功したとき（ユーザーが特定ユーザーであるとき）はステップＳ６に処理を進める。そして、制御部１５１は、ステップＳ６で、ユーザーが紙をセットした供給部（供給部１０ａ又は供給部１０ｂ）を、機密供給部（機密状態を維持して給紙を行う供給部）に設定する。続くステップＳ７で、制御部１５１は、機密供給部を対象とした廃棄紙の再生処理（後述する図８のフローチャートによる処理）を実行する。
【０１２１】
一方、ステップＳ３において認証部１５０による認証が失敗したとき（ユーザーが特定ユーザーでないとき）には、制御部１５１は、ステップＳ５からステップＳ２０に処理を進める。そして、制御部１５１は、ステップＳ２０で、ユーザーが紙をセットした供給部（供給部１０ａ又は供給部１０ｂ）を、非機密供給部（非機密状態を維持して給紙を行う供給部）に設定する。続くステップＳ２１で、制御部１５１は、非機密供給部を対象とした廃棄紙の再生処理（後述する図９のフローチャートによる処理）を実行する。
【０１２２】
［７．機密供給部を対象とした再生処理］
図８は、機密供給部を対象とした再生処理のフローチャートである。図８のフローチャートによる処理は、制御部１５１により実行される。ここでは、供給部１０ａが機密供給部として選択された場合について説明し、以下では供給部１０ａを機密供給部１０ａともいう。
【０１２３】
制御部１５１は、ステップＳ３０で、機密供給部１０ａのカバー７０２ａをロック機構７０３ａによりロックする。これにより、トレイ７０１ａにセットされた廃棄紙の視認が不能であって、且つトレイ７０１ａからの紙の取り出しが不能な機密状態となる（図４のＢの状態）。
【０１２４】
続くステップＳ３１で、制御部１５１は、機密供給部１０ａを対象とした廃棄紙の再生処理を開始し、ステップＳ３２で、機密供給部１０ａに廃棄紙が残っているか否かを、紙検出部７０５ａの検出信号に基づいて判断する。そして、制御部１５１は、機密供給部１０ａに廃棄紙が残っているときはステップＳ３３に処理を進め、機密供給部１０ａに廃棄紙が残っていないときにはステップＳ５０に処理を進める。
【０１２５】
ステップＳ３３〜Ｓ４０は、機密供給部１０ａを対象とした廃棄紙の再生処理を一時停止して、カバー７０２ａの固定を解除するための処理である。制御部１５１は、ステップＳ３３で、新たな認証操作（上述した図７のステップＳ１，Ｓ３による認証操作）により、同一ユーザー（機密供給部１０ａを対象とした廃棄紙の再生処理を開始したユーザー）が認証されたか否かを判断する。
【０１２６】
そして、制御部１５１は、同一ユーザーが認証されたときはステップＳ３４に処理を進め、同一ユーザーが認証されなかったときにはステップＳ３２に処理を進める。ステップＳ３４で、制御部１５１は、機密供給部１０ａからの給紙を一時停止し、続くステップＳ３５でロック機構７０３ａによるカバー７０２ａの固定を解除して、カバー７０２ａの開閉が可能な非機密状態とする。
【０１２７】
これにより、同一ユーザーであると認証されたユーザーは、カバー７０２ａを開けて、トレイ７０１ａへの廃棄紙の追加、廃棄紙の残量の確認等を行うことができる。制御部１５１は、ステップＳ３６でカバー７０２ａが開けられたことを開閉検出部７０４ａにより検出したときに、ステップＳ３７で、カバー７０２ａが開けられたことを通知するデータを管理サーバー５００に送信する。このデータを受信した管理サーバー５００においては、利用情報記憶部５１０が、利用履歴ＤＢ５１３の対応するユーザーの第１シート処理装置１００ａの利用状況を「一時停止中」に変更する。
【０１２８】
次のステップＳ３８で、制御部１５１は、機密供給部１０ａのカバー７０２ａが閉められたか否かを、開閉検出部７０４ａの検出信号に基づいて判断する。そして、制御部１５１は、カバー７０２ａが閉められたときにステップ３９に処理を進め、ロック機構７０３ａによりカバー７０２ａが閉められた状態を固定して機密状態に戻す。
【０１２９】
続くステップＳ４０で、制御部１５１は、カバー７０２ａが閉められたことを通知するデータを管理サーバー５００に送信する。このデータを受信した管理サーバー５００においては、利用情報記憶部５１０が、利用履歴ＤＢ５１３の対応するユーザーの第１シート処理装置１００ａの利用状況を「処理中」に変更する。そして、制御部１５１は、次のステップＳ４１で、機密供給部１０ａからの給紙を再開してステップＳ３２に処理を進める。
【０１３０】
また、ステップＳ５０〜Ｓ５２は、機密供給部１０ａを対象とした廃棄紙の再生処理が完了した際の処理である。制御部１５１は、ステップＳ５０で、機密供給部１０ａ内の廃棄紙が無くなったことを通知するデータを、管理サーバー５００に送信する。このデータを受信した管理サーバー５００においては、利用履歴ＤＢ５１３及びユーザーＤＢ５１１を参照して、第１シート処理装置１００ａの使用待ちになっているユーザーＩＤの有無を判断する。そして、利用待ちになっているユーザーＩＤがあったときには、第１シート処理装置１００ａの利用が可能になっていることを通知する電子メールを、このユーザーＩＤに対応付けて記憶されたメールアドレス宛に送信する。
【０１３１】
続くステップＳ５１で、制御部１５１は、ロック機構７０３ａを解除状態に切替える。これにより、ユーザーによるカバー７０２ｂのロック解除操作を不要として、ユーザーの利便性を向上させている。
【０１３２】
次のステップＳ５２で、制御部１５１は、機密供給部１０ａを対象とした廃棄紙の再生処理が完了した時に、処理完了を通知するデータを管理サーバー５００に送信する。このデータを受信した管理サーバー５００においては、利用情報記憶部５１０が、利用履歴ＤＢ５１３の対応するユーザーの第１シート処理装置１００ａの利用状況を「完了」に変更する。
【０１３３】
［８．非機密供給部を対象とした廃棄紙の再生処理］
図８は、非機密供給部を対象とした廃棄紙の再生処理のフローチャートである。図８のフローチャートによる処理は、制御部１５１により実行される。ここでは、供給部１０ａが機密供給部として選択され、供給部１０ｂが非機密供給部として選択された場合について説明し、以下では供給部１０ｂを非機密供給部１０ｂともいう。
【０１３４】
制御部１５１は、非機密供給部１０ｂについては、ロック機構７０３ｂによるカバー７０２ｂが閉められた状態の固定は行わないため、廃棄紙の再生処理中も、ユーザーはカバー７０２ｂを開閉することが可能である（図４のＢの状態）。
【０１３５】
図９のステップＳ６０で、制御部１５１は、機密供給部１０ａを対象とした廃棄紙の再生処理を実行中であるか否かを判断する。そして、制御部１５１は、機密供給部１０ａを対象とした廃棄紙の再生処理が実行されているときはステップＳ６０の処理を繰り返して待ち状態となる。一方、機密供給部１０ａを対象とした廃棄紙の再生処理が実行されていないときにはステップＳ６１に処理を進めて、非機密供給部１０ｂを対象とした廃棄紙の再生処理を開始する。
【０１３６】
ステップＳ６０の処理により、機密供給部１０ａを対象とした廃棄紙の再生処理が実行されているときには、非機密供給部１０ｂを対象とした廃棄紙の再生処理は開始されない。これにより、機密供給部１０ａにセットされた廃棄紙（機密情報が印刷されており、機密情報を有するため、速やかな処理が望まれる廃棄紙）が、非機密供給部１０ｂにセットされた廃棄紙（機密情報を有しない廃棄紙）よりも先に、優先して処理される。この場合、機密供給部１０ａは本発明の第１のセット部に相当し、非機密供給部１０ｂは本発明の第２のセット部に相当する。
【０１３７】
ステップＳ６２で、制御部１５１は、機密供給部１０ａを対象とした廃棄紙の再生処理を実行中であるか否かを判断する。そして、制御部１５１は、機密供給部１０ａを対象とした廃棄紙の再生処理を実行中であるときはステップＳ７０に処理を進めて、非機密供給部１０ｂを対象とした廃棄紙の再生処理を中断する。
【０１３８】
これにより、ステップＳ６１で非機密供給部１０ｂを対象とした廃棄紙の再生処理が開始された後に、機密供給部１０ａを対象とした廃棄紙の再生処理が開始或いは再開されると、ステップＳ７０で、非機密供給部１０ｂを対象とした廃棄紙の再生処理が中断する。そのため、機密供給部１０ａにセットされた廃棄紙が優先して処理される。
【０１３９】
一方、ステップＳ６２で、機密供給部１０ａを対象とした廃棄紙の再生処理が実行中でないときには、制御部１５１はステップＳ６３に処理を進め、非機密供給部１０ｂを対象とした廃棄紙の再生処理を継続する。ここで、ステップＳ６０、及びステップＳ６２，Ｓ７０の処理により、機密供給部１０ａを対象とした廃棄紙の再生処理を、非機密供給部１０ｂを対象とした廃棄紙の再生処理よりも優先して行う処理は、本発明の優先処理制御に相当する。
【０１４０】
続くステップＳ６４で、制御部１５１は、非機密供給部１０ｂのトレイ７０１ｂに廃棄紙が残っているか否かを、紙検出部７０５ｂの検出信号に基づいて判断する。そして、制御部１５１は、非機密供給部１０ｂのトレイ７０１ｂに廃棄紙が残っているときはステップＳ６２に処理を進め、トレイ７０１ｂに廃棄紙が残っていないときにはステップＳ６５に処理を進める。
【０１４１】
ステップＳ６５で、制御部１５１は、機密供給部１０ｂ内の廃棄紙が無くなったことを通知するデータを管理サーバー５００に送信する。また、非機密供給部１０ｂを対象とした廃棄紙の再生処理が完了した時に、制御部１５１は、ステップＳ６５で、処理の完了を通知するデータを管理サーバー５００に送信する。これらのデータを受信した管理サーバー５００においては、利用情報記憶部５１０が、利用履歴ＤＢ５１３の対応するユーザーの第１シート処理装置１００ａの利用情報を「完了」に変更する。
【０１４２】
［９．他の実施形態］
上記実施形態では、本発明のシート処理装置として廃棄紙を再生するシート処理装置１００（１００ａ，１００ｂ）を例示した。ただし、本発明のシート処理装置は、機密情報が印刷され得るシート（紙、樹脂等の種々の材料で形成されたものを含む）を処理する装置であればよく、例えば、シートを裁断するシュレッダー等であってもよい。
【０１４３】
また、上記実施形態では、供給部を二つ（供給部１０ａ，１０ｂ）備えたシート処理装置１００を例示したが、供給部を少なくとも二つ備えればよく、供給部を三つ以上備えた構成としてもよい。この場合は、三つ以上の供給部の中から任意に選択した二つの供給部について、一方を本発明の第１のセット部として扱い、他方を第２のセット部として扱って、本発明を適用すればよい。
【０１４４】
また、上記実施形態では、図４に示したように、本発明のセット部の例として、トレイ７０１ａに紙をセットして、トレイ７０１ａを覆うカバー７０２ａの開閉をロック機構７０３ａにより不能にする供給部１０ａ，１０ｂを示したが、他の構成であってもよい。例えば、カセットに紙をセットして収納部内にカセットを収納し、ロック機構により収納部からのカセットの取り出しができないようにする構成であってもよい。
【０１４５】
また、上記実施形態では、二つの供給部１０ａ，１０ｂのいずれも機密供給部として選択可能な構成としたが、二つの供給部１０ａ，１０ｂの一方を機密供給部として固定し、他方を非機密供給部として固定してもよい。例えば、供給部１０ａを機密供給部とし、供給部１０ｂを非機密供給部としてもよい。この場合は、供給部１０ａに廃棄紙がセットされている間は、供給部１０ｂを対象とした廃棄紙の再生処理が禁止され、供給部１０ａを対象とした廃棄紙の再生処理が、供給部１０ｂを対象とした廃棄紙の再生処理よりも優先して実行される。
【０１４６】
また、ロック機構７０３ａを、供給部１０ａのカバー７０２ａがロック機構７０３ａによりロックされた状態で、停電等によりシート処理装置１００への電源供給が遮断された場合に、ロックされた状態が維持される構成としてもよい。この構成によれば、停電等が生じたときに、カバー７０２ａのロックが解除されて、トレイ７０１ａにセットされた紙の視認と取り出しが可能になることを防止することができる。供給部１０ｂについても同様である。
【０１４７】
また、上記実施形態では、供給部１０ａ，１０ｂにカバー７０２ａ，７０２ｂとロック機構７０３ａ，７０３ｂを備えて、カバー７０２ａ，７０２ｂが閉まった状態で固定可能な構成としたが、この構成を省略してもよい。この場合には、供給部１０ａ，１０ｂがいずれも非機密供給部となり、例えば、供給部１０ａにセットされた廃棄紙を供給部１０ｂにセットされた廃棄紙よりも優先して処理するようにしてもよい。或いは供給部１０ａ，１０ｂにセットされた廃棄紙について、先にセットされた廃棄紙を優先して処理する等の優先処理制御を、制御部１５１が実行する構成としてもよい。
【０１４８】
また、本発明のシート処理装置として、乾式により解繊を行うシート処理装置１００を示したが、本発明のシート処理装置としては、種々の再生方法を用いてシートを処理する装置を採用することができる。
【０１４９】
また、本発明のユーザーの識別情報として、ＩＤカードに記録されたユーザーＩＤを用いたが、ユーザーの生体情報（指紋、虹彩等）等を用いてもよい。
【０１５０】
また、図１に示したシート処理装置１００の制御部１５１の少なくとも一部は、ハードウェアで実現してもよいし、ハードウェアとソフトウェアの協働により実現される構成としてもよく、独立したハードウェア資源を配置する構成に限定されない。また、制御部が実行するプログラムは、不揮発性記憶部または他の記憶装置（図示略）に記憶されてもよい。また、外部の装置に記憶されたプログラムを、通信部を介して取得して実行する構成としてもよい。
【符号の説明】
【０１５１】
１０ａ，１０ｂ…供給部（第１のセット部又は第２のセット部）、１００（１００ａ，１００ｂ）…シート処理装置、１１０…制御装置、１３０…カードリーダー（操作部）、１３５…通信部、１５０…認証部、１５１…制御部、２００…解繊部、２５０…再生部、５００…管理サーバー（管理装置、判定部）、７０１ａ，７０１ｂ…トレイ、７０２ａ，７０２ｂ…カバー（セット状態切替部）、７０３ａ，７０３ｂ…ロック機構（セット状態切替部）、７０４ａ，７０４ｂ…開閉検出部、７０５ａ，７０５ｂ…紙検出部。
【図１】
2018143980.tif 000003
【図２】
2018143980.tif 000004
【図３】
2018143980.tif 000005
【図４】
2018143980.tif 000006
【図５】
2018143980.tif 000007
【図６】
2018143980.tif 000008
【図７】
2018143980.tif 000009
【図８】
2018143980.tif 000010
【図９】
2018143980.tif 000011